(57)【要約】【課題】駆動回路基板と帯状ＬＥＤランプとの接続を便利に行うことができる接続構造を備えるＬＥＤランプに用いる駆動回路基板の接続構造を提供する。【解決手段】ＬＥＤランプに用いる駆動回路基板の接続構造のＬＥＤランプ１は、ランプ本体２１と、ランプ本体２１内に配置された少なくとも１つの帯状ＬＥＤランプ２２と、ランプ本体２１内の何れか１つの側部に配置されるとともに帯状ＬＥＤランプ２２と電気的に接続された少なくとも１つの駆動回路基板２３とを含む。駆動回路基板２３及び帯状ＬＥＤランプ２２には、異なる接続用差込部材がそれぞれ配置され、異なる接続用差込部材が互いに接続されると、駆動回路基板２３と帯状ＬＥＤランプ２２とが電気的に接続されて帯状ＬＥＤランプ２２が発光可能となる。【選択図】図３Ａ
0003179656.tif 000002
【実用新案登録請求の範囲】
【請求項１】
ＬＥＤランプは、ランプ本体と、前記ランプ本体内に配置された少なくとも１つの帯状ＬＥＤランプと、前記ランプ本体内の何れか１つの側部に配置されるとともに前記帯状ＬＥＤランプと電気的に接続された少なくとも１つの駆動回路基板と、を含み、
前記駆動回路基板及び前記帯状ＬＥＤランプには、異なる接続用差込部材がそれぞれ配置され、前記異なる接続用差込部材が互いに接続されると、前記駆動回路基板と前記帯状ＬＥＤランプとが電気的に接続されて前記帯状ＬＥＤランプが発光可能となることを特徴とするＬＥＤランプに用いる駆動回路基板の接続構造。
【請求項２】
前記駆動回路基板に配置された前記接続用差込部材は、少なくとも１つの雄差込構造であり、
前記帯状ＬＥＤランプに配置された前記接続用差込部材は、前記雄差込部材に対応して形成された少なくとも１つの雌差込構造であることを特徴とする請求項１に記載のＬＥＤランプに用いる駆動回路基板の接続構造。
【請求項３】
前記駆動回路基板に配置された前記接続用差込部材は、少なくとも１つの雌差込構造であり、
前記帯状ＬＥＤランプに配置された前記接続用差込部材は、前記雌差込部材に対応して形成された少なくとも１つの雄差込構造であることを特徴とする請求項１に記載のＬＥＤランプに用いる駆動回路基板の接続構造。
【請求項４】
前記雄差込構造はピンヘッダであり、
前記雌差込構造は雌ピンヘッダであり、
前記雄差込構造を前記雌差込構造へ挿入すると、前記雄差込構造と前記雌差込構造とが電気的に接続されることを特徴とする請求項３又は４に記載のＬＥＤランプに用いる駆動回路基板の接続構造。
【請求項５】
前記帯状ＬＥＤランプには、複数の発光ダイオードが設けられることを特徴とする請求項１に記載のＬＥＤランプに用いる駆動回路基板の接続構造。
【請求項６】
前記ランプ本体は長尺状であることを特徴とする請求項１に記載のＬＥＤランプに用いる駆動回路基板の接続構造。
【考案の詳細な説明】
【技術分野】
【０００１】
本考案は、ＬＥＤランプに用いる駆動回路基板の接続構造に関し、特に、駆動回路基板と帯状ＬＥＤランプとを便利に接続することができる接続構造を有するＬＥＤランプに用いる駆動回路基板の接続構造に関する。
【背景技術】
【０００２】
ＬＥＤ（発光ダイオード）は、低消費電力、長寿命、小型、高速反応などの長所を有するため、様々な照明分野において広く使用されており、メーカーの一部により蛍光灯を代替するＬＥＤランプがすでに開発されている。従来のＬＥＤランプ１は、ランプ本体１１内に複数の発光ダイオード１２１を有する少なくとも１本の帯状ＬＥＤランプ１２が配置され、ランプ本体１１内の何れか一方の側部に、帯状ＬＥＤランプ１２と接続された駆動回路基板１３が配置されて帯状ＬＥＤランプ１２を発光させる。
【０００３】
図１及び図２を参照する。図１及び図２に示すように、駆動回路基板１３上に２つの接続線１４が半田付けされる一方、接続線１４の他方の端部が帯状ＬＥＤランプ１２に半田付けされ、接続線１４を介して駆動回路基板１３と帯状ＬＥＤランプ１２とが電気的に接続され、接触導通により通電される。
【０００４】
しかし、上述の配線の場合、組立てを行う前に駆動回路基板１３と帯状ＬＥＤランプ１２との間に接続線１４を半田付けする必要があり、一般に駆動回路基板１３と帯状ＬＥＤランプ１２との間隔が小さすぎるため、その小さな間隔で接続線１４を駆動回路基板１３及び帯状ＬＥＤランプ１２に半田付けするには、作業員に高い技術レベルが求められる上、組み立てを便利に行うことができるように、作業員は長めの接続線１４を駆動回路基板１３と帯状ＬＥＤランプ１２とに半田付けする。
その場合、組み立てた後に長めの接続線１４が押圧されて曲がったり、２本の接続線１４が絡まったり結び目ができたりして配線に問題が起きることがあるため、接続線１４の長さを調整することはメーカにとって無視することのできない問題であった。
【０００５】
そのため、駆動回路基板と帯状ＬＥＤランプとの上に、互いに対応した接続構造を設置し、これら２つの接続構造を互いに接続させて駆動回路基板と帯状ＬＥＤランプとを電気的に接続させると、組み立てが困難となったり配線に問題が起きるなどの従来の問題を解決することができる。
【考案の概要】
【考案が解決しようとする課題】
【０００６】
本考案の目的は、駆動回路基板及び帯状ＬＥＤランプに互いに対応した異なる接続用差込部材を設置し、これら２つの接続構造を互いに接続させると、駆動回路基板と帯状ＬＥＤランプとが電気的に接続されるＬＥＤランプに用いる駆動回路基板の接続構造を提供することにある。
【課題を解決するための手段】
【０００７】
上記課題を解決するために、ＬＥＤランプは、ランプ本体と、前記ランプ本体内に配置された少なくとも１つの帯状ＬＥＤランプと、前記ランプ本体内の何れか１つの側部に配置されるとともに前記帯状ＬＥＤランプと電気的に接続された少なくとも１つの駆動回路基板と、を含み、前記駆動回路基板及び前記帯状ＬＥＤランプには、異なる接続用差込部材がそれぞれ配置され、前記異なる接続用差込部材が互いに接続されると、前記駆動回路基板と前記帯状ＬＥＤランプとが電気的に接続されて前記帯状ＬＥＤランプが発光可能となることを特徴とするＬＥＤランプに用いる駆動回路基板の接続構造が提供される。
【０００８】
前記駆動回路基板に配置された前記接続用差込部材は、少なくとも１つの雄差込構造であり、前記帯状ＬＥＤランプに配置された前記接続用差込部材は、前記雄差込部材に対応して形成された少なくとも１つの雌差込構造であることが好ましい。
【０００９】
あるいは前記駆動回路基板に配置された前記接続用差込部材は、少なくとも１つの雌差込構造であり、前記帯状ＬＥＤランプに配置された前記接続用差込部材は、前記雌差込部材に対応して形成された少なくとも１つの雄差込構造であることが好ましい。
【００１０】
前記雄差込構造はピンヘッダであり、前記雌差込構造は雌ピンヘッダであり、前記雄差込構造を前記雌差込構造へ挿入すると、前記雄差込構造と前記雌差込構造とが電気的に接続されることが好ましい。
【００１１】
前記帯状ＬＥＤランプには、複数の発光ダイオードが設けられることが好ましい。
【００１２】
前記ランプ本体は長尺状であることが好ましい。
【図面の簡単な説明】
【００１３】
【図１】従来のＬＥＤランプを示す透視斜視図である。
【図２】従来のＬＥＤランプを示す平面断面図である。
【図３Ａ】本考案の第１実施形態に係るＬＥＤランプに用いる駆動回路基板の接続構造を示す透視斜視図である。
【図３Ｂ】本考案の第１実施形態に係るＬＥＤランプに用いる駆動回路基板の接続構造を示す透視斜視図である。
【図４】本考案の第１実施形態に係るＬＥＤランプに用いる駆動回路基板の接続構造を示す透視側面図である。
【図５Ａ】本考案の第２実施形態に係るＬＥＤランプに用いる駆動回路基板の接続構造を示す透視側面図である。
【図５Ｂ】本考案の第２実施形態に係るＬＥＤランプに用いる駆動回路基板の接続構造を示す透視斜視図である。
【図６】本考案の第２実施形態に係るＬＥＤランプに用いる駆動回路基板の接続構造を示す透視側面図である。
【図７】本考案の第３実施形態に係るＬＥＤランプに用いる駆動回路基板の接続構造を示す透視側面図である。
【考案を実施するための形態】
【００１４】
（第１実施形態）
図３Ａ、図３Ｂ及び図４を参照する。図３Ａは、本考案の第１実施形態に係るＬＥＤランプに用いる駆動回路基板の接続構造を示す透視斜視図である。図３Ｂは、本考案の第１実施形態に係るＬＥＤランプに用いる駆動回路基板の接続構造を示す透視斜視図である。図４は、本考案の第１実施形態に係るＬＥＤランプに用いる駆動回路基板の接続構造を示す透視側面図である。
図３Ａ、図３Ｂ及び図４に示すように、本考案の第１実施形態に係るＬＥＤランプに用いる駆動回路基板の接続構造は、ＬＥＤランプ２がランプ本体２１を含む。このランプ本体２１は、複数の発光ダイオード２２１を有する少なくとも１つの帯状ＬＥＤランプ２２と、ランプ本体２１内部の何れか１つの側部に設置されて帯状ＬＥＤランプ２２と電気的に接続された少なくとも１つの駆動回路基板２３と、が内部に配置されている。
駆動回路基板２３及び帯状ＬＥＤランプ２２には、接続用差込部材がそれぞれ配置され、本実施形態では、駆動回路基板２３に配置された接続用差込部材はピンヘッダ２３１であり、帯状ＬＥＤランプ２２に配置された接続用差込部材は雌ピンヘッダ２２２である。ピンヘッダ２３１の端部は、駆動回路基板２３上に半田付けされる。雌ピンヘッダ２２２は、一方の端部が帯状ＬＥＤランプ２２上に半田付けされ、他方の端部がピンヘッダ２３１の複数のピン２３１１に対応した複数の挿通孔２２２１を有し、ピンヘッダ２３１のピン２３１１が雌ピンヘッダ２２２の挿通孔２２２１に挿入されると、ピンヘッダ２３１に半田付けされた駆動回路基板２３が、雌ピンヘッダ２２２に半田付けされた帯状ＬＥＤランプ２２と電気的に接続され、駆動回路基板２３により帯状ＬＥＤランプ２２を発光させることが可能となる。
【００１５】
（第２実施形態）
図５Ａ、図５Ｂ及び図６を参照する。図５Ａ、図５Ｂ及び図６に示すように、本考案の第２実施形態に係るＬＥＤランプに用いる駆動回路基板の接続構造は、駆動回路基板２３及び帯状ＬＥＤランプ２２に配置される接続用差込部材が第１実施形態と異なる。駆動回路基板２３に配置された接続用差込部材は雌ピンヘッダ２３２であり、帯状ＬＥＤランプ２２に配置された接続用差込部材はピンヘッダ２２３である。ピンヘッダ２２３の端部は、帯状ＬＥＤランプ２２に半田付けされ（他方の端部には、雌ピンヘッダ２３２に向けて複数のピン２２３１が延設される）、雌ピンヘッダ２３２の端部が駆動回路基板２３に半田付けされる。
雌ピンヘッダ２３２の他方の端部には、ピンヘッダ２２３の複数のピン２２３１に対応した複数の挿通孔２３２１が設けられているため、駆動回路基板２３の雌ピンヘッダ２３２へ帯状ＬＥＤランプ２２のピンヘッダ２２３を挿入すると、駆動回路基板２３は、半田付けされている雌ピンヘッダ２３２により、半田付けされているピンヘッダ２２３の帯状ＬＥＤランプ２２と電気的に接続され、駆動回路基板２３により帯状ＬＥＤランプ２２が発光可能となる。
【００１６】
上述した第１実施形態及び第２実施形態から分かるように、接続用差込部材は雄差込構造（例えば、ピンヘッダ２３１，２２３）又は雌差込構造（例えば、雌ピンヘッダ２２２，２３２）でもよく、雌差込構造に雄差込構造を差し込んで電気的な接続を行うことができる限り、本実施形態の態様だけに限定されるわけではなく、同じ効果を達成することがでできれば、ピンヘッダ２３１及び雌ピンヘッダ２２２以外の物でもよいが、それらについてはここでは詳しく述べない。
【００１７】
また、上述した第１実施形態及び第２実施形態では、便宜上１つの端部だけを用いて説明しているが、ランプ本体２１内にそれぞれ分離して配置された２つのＬＥＤランプ（分離された２つのＬＥＤランプを駆動させるには、２つの駆動回路基板が必要）及び１つだけのＬＥＤランプ（ＬＥＤランプを駆動させるには、少なくとも１つの駆動回路基板が必要）も勿論、本考案の技術内容に含まれる。
【００１８】
（第３実施形態）
図７を参照する。図７に示すように、本考案の第３実施形態に係るＬＥＤランプに用いる駆動回路基板の接続構造は、上述した第１実施形態及び第２実施形態と異なる。
駆動回路基板２３上に配置したピンヘッダ２３１は、一端が駆動回路基板２３の裏板上に半田付けされ、雌ピンヘッダ２２２の一端が複数の発光ダイオード２２１の帯状ＬＥＤランプ２２の一面上に半田付けされるとともに、帯状ＬＥＤランプ２２の発光ダイオード２２１とランプ本体２１との間隔が一定の距離に保たれ、発光ダイオード２２１が発光して照射されると、ユーザは発光ダイオード２２１の形状を見ることができる。
また、帯状ＬＥＤランプ２２の裏板は、雌ピンヘッダ２２２を半田付けするのに適していないため、雌ピンヘッダ２２２の一方の端部は、複数の発光ダイオード２２１が設けられた帯状ＬＥＤランプ２２の面に半田付けされることが好ましい。
【００１９】
ピンヘッダ２３１を駆動回路基板２３上へ半田付けして雌ピンヘッダ２２２を帯状ＬＥＤランプ２２上へ半田付けする以外には、雌差込構造を駆動回路基板２３上へ半田付けして雄差込構造を帯状ＬＥＤランプ２２上へ半田付けしたり、雄差込構造、雌差込構造をそれぞれ駆動回路基板２３及び帯状ＬＥＤランプ２２へ半田付けしたりし、雄差込構造及び雌差込構造を駆動回路基板の裏板と、複数の発光ダイオードが設けられた帯状ＬＥＤランプの一面上とにそれぞれ半田付けすることが好ましい。
【００２０】
上述したことから分かるように、本考案のＬＥＤランプに用いる駆動回路基板の接続構造は、従来技術と比べて以下（１）及び（２）の長所を有する。
（１）２つの接続用差込部材を接続させることにより、駆動回路基板と帯状ＬＥＤランプとを電気的に接続し、これにより組み立てを容易にして配線間に問題が生じることを防ぐことができる。そのため、駆動回路基板と帯状ＬＥＤランプとの間を接続線を使用して接続しなくとも電気的な導通を達成することができる。
（２）組み立てが完成した後、２つの接続用差込部材を互いに接続させることにより、駆動回路基板と帯状ＬＥＤランプとが電気的に導通されるため、長めの接続線により生じていた従来技術の問題点がない。
【００２１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２２】
１  ＬＥＤランプ
２  ＬＥＤランプ
１１  ランプ本体
１２  帯状ＬＥＤランプ
１３  駆動回路基板
１４  接続線
２１  ランプ本体
２２  帯状ＬＥＤランプ
２３  駆動回路基板
１２１  発光ダイオード
２２１  発光ダイオード
２２２  雌ピンヘッダ
２２３  ピンヘッダ
２３１  ピンヘッダ
２３２  雌ピンヘッダ
２２２１  挿通孔
２２３１  ピン
２３１１  ピン
２３２１  挿通孔
【図１】
0003179656.tif 000003
【図２】
0003179656.tif 000004
【図３Ａ】
0003179656.tif 000005
【図３Ｂ】
0003179656.tif 000006
【図４】
0003179656.tif 000007
【図５Ａ】
0003179656.tif 000008
【図５Ｂ】
0003179656.tif 000009
【図６】
0003179656.tif 000010
【図７】
0003179656.tif 000011